(57)【要約】【課題】本発明は、グローブボックスの垂れ下がりや、車両衝突時等にグローブボックスが開き動作をしないようにしたグローブボックスのロック装置を実現することを目的とする。【解決手段】車両に用いられるグローブボックスに取付けられた箱状をなすベース２１と、該ベース２１にラチェット軸２５により回動可能に支持されて車体に設けられたストライカ２４に係脱可能なラチェット２２と、前記ラチェット軸２５とは別の軸に支持されて前記ラチェット２２を回動することができるノブ２３と、を具備してなるグローブボックスのロック装置であって、前記ベース２１に、前記ストライカ２４に係止している状態のラチェット２２の先端を僅かな間隙を隔てて覆うことができる形状のラチェット離脱防止部２６を設けて成るように構成する。【選択図】　　　図１
2004068361.tif 000002
【特許請求の範囲】
【請求項１】
車両に用いられるグローブボックスに取付けられた箱状をなすベース（２１）と、該ベース（２１）にラチェット回転軸（２５）により揺動可能に支持されて車体に設けられたストライカ（２４）に係脱可能なラチェット（２２）と、前記ラチェット回転軸（２５）とは別の軸に支持されて前記ラチェット（２２）を回動することができるノブ（２３）と、を具備してなるグローブボックスのロック装置であって、
前記ベース（２１）に、前記ストライカ（２４）に係止している状態のラチェット（２２）の先端を僅かな間隙を隔てて覆うことができる形状のラチェット離脱防止部（２６）を設けたことを特徴とするグローブボックスのロック装置。
【請求項２】
前記ベース（２１）と、ラチェット（２２）及びノブ（２３）は樹脂にて形成されたものであることを特徴とする請求項１記載のグローブボックスのロック装置。
【請求項３】
前記ラチェット離脱防止部（２６）とベース（２１）の本体との間に、前記ラチェット離脱防止部（２６）の変形を防止するための補強用リブ（２７）を設けたことを特徴とする請求項１記載のグローブボックスのロック装置。
【発明の詳細な説明】
【０００１】
【発明の属する技術分野】
本発明はグローブボックスのロック装置に関する。詳しくは、車両に設けられるグローブボックスにおいて、グローブボックスの垂れ下がりや、車両衝突時等にグローブボックスが開き動作をしないようにしたグローブボックスのロック装置に関する。
【０００２】
【従来の技術】
従来の車両に用いられているグローブボックス及びそのロック装置の１例の断面図を図３に示す。同図において、符号１は車両のインストルメントパネル（又はダッシュボード）、２はグローブボックスであり、該グローブボックスはヒンジピン３によりインストルメントパネル１に回動可能に支持されている。また該グローブボックス２にはロック装置４が設けられ、インストルメントパネル１には該ロック装置４が係止されるストライカ５が設けられている。
【０００３】
また、該ロック装置４はストライカ５に係合するフック６及びラチェット７が設けられ、該ラチェット７はノブ８に固定され、該ノブ８をピン９を中心にして矢印Ａ方向に回動することによりストライカ５との係合を解き、グローブボックス２を前方に引き出すことができるようになっている。このように構成された、ロック装置４は、強度上、フック６をダイキャストで、ラチェット７を鉄製にしている。このため製品のコストが上がるという欠点がある。このため最近では低コストの樹脂製のロック装置が開発されている。
【０００４】
図４は樹脂製のロック装置を示す図である。このロック装置は図４（ａ）の正面斜視図、（ｂ）の背面斜視図、（ｃ）の断面図に示すように、グローブボックスに固定されるベース１０と、該ベース１０に回動可能に支持されたラチェット１１と、該ラチェット１１を駆動するノブ１２と、車両に設けられたストライカ１３とを具備して構成されている。そして前記ラチェット１１は鈎状をなし、ラチェット回転軸１４によりベース１０に回動可能に支持され、ノブ１２はベース１０の前面をほぼ覆うような形状をなし、前記ラチェット回転軸１４とは別の軸によりベース１０に回動可能に支持され、図示なきばねにより矢印Ａ方向に付勢されている。
【０００５】
また、ラチェット１１は図示なきばねにより矢印Ｂ方向に付勢されている。そして該ラチェット１１はその鈎状部でストライカ１３に係合できるようになっている。この係合を解除するには、（ｃ）図の如く、ノブ１２の下部を矢印Ａと反対の方向に回動させることによりノブ１２に形成された図示なきアームが（ｄ）図の如く、ラチェット１１に形成された平面部１１ａを押圧しラチェット１１を（ｃ）図の矢印Ｂと反対方向に回動させてストライカ１３との係合を解除することができ、これによりグローブボックスを開放することができる。
【０００６】
【発明が解決しようとする課題】
上記のような従来のグローブボックスのロック装置においては、グローブボックスに重量物を収納した場合の垂れ下がりや、車両衝突時等において図５（ａ）の如くロック装置に矢印Ｙ方向の力が作用してラチェット１１がストライカ１３から外れてグローブボックスが開き、危険であるという問題がある。この対策として、図５（ｂ）に示すように、ラチェット１１がストライカ１３から外れ難くなるように、該ラチェット１１の鈎状部の内側に突出部１１ｂを設けることもできるが、通常の作動時に突出部１１ｂとトライカ１３とが干渉し、スムースな動作ができないという問題が生じる。
【０００７】
本発明は、上記従来の問題点に鑑み、グローブボックスの垂れ下がりや、車両衝突時等にグローブボックスが開き動作をしないようにしたグローブボックスのロック装置を実現することを目的とする。
【０００８】
【課題を解決するための手段】
上記目的を達成するため、本発明の請求項１は、車両に用いられるグローブボックスに取付けられた箱状をなすベース２１と、該ベース２１にラチェット回転軸２５により揺動可能に支持されて車体に設けられたストライカ２４に係脱可能なラチェット２２と、前記ラチェット回転軸２５とは別の軸に支持されて前記ラチェット２２を回動することができるノブ２３と、を具備してなるグローブボックスのロック装置であって、前記ベース２１に、前記ストライカ２４に係止している状態のラチェット２２の先端を僅かな間隙を隔てて覆うことができる形状のラチェット離脱防止部２６を設けたことを特徴とする。
【０００９】
また、請求項２は、前記ベース２１と、ラチェット２２及びノブ２３は樹脂にて形成されたものであることを特徴とする。また、請求項３は、前記ラチェット離脱防止部２６とベース２１の本体との間に、前記ラチェット離脱防止部２６の変形を防止するための補強用リブ２７を設けたことを特徴とする。
【００１０】
この構成を採ることにより、グローブボックスに重量物を収納した場合の垂れ下がりや、車両衝突時等に際してもロックが解除しないようにしたグローブボックスのロック装置が得られる。
【００１１】
【発明の実施の形態】
図１は本発明のグローブボックスのロック装置の実施の形態を示す図であり、（ａ）は背面斜視図、（ｂ）及び（ｃ）は（ａ）図のｂ−ｂ線における断面図である。本実施の形態は、グローブボックスに固定されるベース２１と、該ベース２１に回動可能に支持されたラチェット２２と、該ラチェット２２を駆動するノブ２３と、を具備して構成されている。なお符号２４は車両に設けられたストライカである。
【００１２】
また、前記ラチェット２２は鈎状をなし、ラチェット回転軸２５により支持されて図示なきばねにて矢印Ｂ方向に付勢され、前記ノブ２３はベース２１の前面をほぼ覆うような形状をなし、前記ラチェット回転軸２５とは別の軸に支持されて、図示なきばねにより矢印Ａ方向に付勢されている。以上は図４で説明した従来例と同様である。
【００１３】
本実施の形態の特徴は、図１（ｂ）に示すように、ラチェット２２がストライカ２４に係合している状態のとき、ラチェット２２の先端を僅かな間隙を隔てて覆うようにしたラチェット離脱防止部２６を設けたものである。なお、（ａ）図においてラチェット離脱防止部２６にはハッチングを入れて示した。
【００１４】
このように構成された本実施の形態は、（ｃ）図に示すように、グローブボックスの垂れ下がりや、車両衝突時等においてストライカ２４に作用するＹ方向の力に対し、ラチェット離脱防止部２６がラチェット２２の鈎状部の先端を介して受け止めるため、ラチェット２２はストライカ２４からの離脱を防止される。これにより、グローブボックスの開放も防止される。
【００１５】
図２は本発明のグローブボックスのロック装置の他の実施の形態を示す図である。本実施の形態が前実施の形態と異なるところは、同図に示すようにベース２１のラチェット離脱防止部２６の変形を防止するための補強用リブ２７を該ラチェット離脱防止部２６とベース２１の本体との間に設けたことであり、その他は前実施の形態と同様である。
このように構成された本実施の形態は、グローブボックスの垂れ下がりや、車両衝突時等に対して、ラチェット離脱防止部２６の変形が少なくなるため、ストライカ２４からのラチェット２２の離脱は防止される。
【００１６】
【発明の効果】
本発明のグローブボックスのロック装置に依れば、ベースにラチェット離脱防止部及び補強用リブを設けたことにより、グローブボックスの垂れ下がりや、車両衝突時等にストライカ２４からのラチェット２２の離脱が防止され、これによりグローブボックスの開放も防止される。
【図面の簡単な説明】
【図１】本発明のグローブボックスのロック装置の実施の形態を示す図で、（ａ）は背面斜視図、（ｂ）及び（ｃ）は（ａ）図のｂ−ｂ線における断面図である。
【図２】本発明のグローブボックスのロック装置の他の実施の形態を示す正面斜視図である。
【図３】従来のグローブボックス及びそのロック装置を示す断面図である。
【図４】従来のグローブボックスの樹脂製ロック装置を示す図で、（ａ）は正面斜視図、（ｂ）は背面斜視図、（ｃ）は（ａ）図のｃ−ｃ線における断面図、（ｄ）はラチェットの斜視図である。
【図５】発明が解決しようとする課題を説明するための図である。
【符号の説明】
２１…ベース
２２…ラチェット
２３…ノブ
２４…ストライカ
２５…ラチェット回転軸
２６…ラチェット離脱防止部
２７…補強用リブ
【図１】
2004068361.tif 000003
【図２】
2004068361.tif 000004
【図３】
2004068361.tif 000005
【図４】
2004068361.tif 000006
【図５】
2004068361.tif 000007